(57)【要約】【課題】より確実に紙葉類を区分することができる紙葉類処理装置、及び紙葉類処理方法を提供する。【解決手段】一実施形態に係る紙葉類処理装置は、紙葉類を搬送する搬送路と、前記紙葉類を集積する複数の集積部と、前記複数の集積部に前記紙葉類を区分する為の検知データを取得する検査部と、前記検査部から伝送された前記検知データを受信し、前記紙葉類が前記搬送路上の最終判定位置に到達するまでの間に前記検知データに基づいて前記紙葉類を搬送する前記集積部を判定する判定部と、前記判定部により判定された搬送先に前記紙葉類を区分する区分処理部と、前記検知データの伝送中に通信エラーが発生したか否か判定し、通信エラーが発生していた場合に前記検知データの再送が可能であるか否かを判定し、再送が可能である場合に前記検知データを再度伝送するように前記検査部を制御する制御部と、を具備する。【選択図】図１
2015032245.tif 000002
【特許請求の範囲】
【請求項１】
紙葉類を搬送する搬送路と、
前記紙葉類を集積する複数の集積部と、
前記複数の集積部に前記紙葉類を区分する為の検知データを取得する検査部と、
前記検査部から伝送された前記検知データを受信し、前記紙葉類が前記搬送路上の最終判定位置に到達するまでの間に前記検知データに基づいて前記紙葉類を搬送する前記集積部を判定する判定部と、
前記判定部により判定された搬送先に前記紙葉類を区分する区分処理部と、
前記検知データの伝送中に通信エラーが発生したか否か判定し、通信エラーが発生していた場合に前記検知データの再送が可能であるか否かを判定し、再送が可能である場合に前記検知データを再度伝送するように前記検査部を制御する制御部と、
を具備する紙葉類処理装置。
【請求項２】
前記制御部は、前記紙葉類が前記最終判定位置に到達するまでの時間と、通信エラーを含む前記検知データの容量とに基づいて、前記検知データの再送が可能であるか否かを判定する請求項１に記載の紙葉類処理装置。
【請求項３】
前記制御部は、前記紙葉類が前記搬送路上の前記最終判定位置に到達してからの経過時間と前記紙葉類の搬送速度とに基づいて前記紙葉類が前記最終判定位置に到達するまでの到達時間を算出し、通信エラーを含む前記検知データの容量に基づいて前記検知データの再送に要する再送時間を算出し、前記到着時間が前記再送時間以上である場合前記検知データの再送が可能であると判定する請求項２に記載の紙葉類処理装置。
【請求項４】
前記検査部は、それぞれ異なる検知データを検知する複数の検知部を有し、
前記判定部は、前記制御部により前記検知データの再送が不可能であると判定された場合、通信エラーを含んでいない前記検知データに基づいて前記紙葉類を搬送する前記集積部を判定する、請求項１乃至３のうちの１項に記載の紙葉類処理装置。
【請求項５】
紙葉類を搬送する搬送路と、前記紙葉類を集積する複数の集積部と、前記複数の集積部に前記紙葉類を区分する為の検知データを取得する検査部と、前記紙葉類を搬送する前記集積部を判定する判定部と、前記判定部により判定された搬送先に前記紙葉類を区分する区分処理部と、を具備する紙葉類処理装置の紙葉類処理方法であって、
前記判定部は、前記検査部から伝送された前記検知データを受信し、前記紙葉類が前記搬送路上の最終判定位置に到達するまでの間に前記検知データに基づいて前記紙葉類を搬送する前記集積部を判定し、
前記紙葉類処理装置は、前記検知データの伝送中に通信エラーが発生したか否か判定し、通信エラーが発生していた場合に前記検知データの再送が可能であるか否かを判定し、再送が可能である場合に前記検知データを再度伝送するように前記検査部を制御する、
紙葉類処理装置の紙葉類処理方法。
【発明の詳細な説明】
【技術分野】
【０００１】
本発明の実施形態は、紙葉類処理装置、及び紙葉類処理方法に関する。
【背景技術】
【０００２】
従来、例えば紙葉類の計数及び判別を行う紙葉類処理装置が実用化されている。紙葉類処理装置は、投入部に投入された紙葉類を１枚ずつ取り込み、紙葉類の検知部に搬送する。検知部は、紙葉類に対して種々の処理を行い紙葉類の状態を検知する。
【０００３】
例えば、検知部は、紙葉類の券種（ｃａｔｅｇｏｒｙ）、紙葉類の汚れの度合い（正損：Ｆｉｔｎｅｓｓ）、及び紙葉類の真偽（ａｕｔｈｅｎｔｉｃａｔｉｏｎ）などを検知する。紙葉類処理装置は、各検知結果に基づいて、紙葉類を区分して集積する。
【先行技術文献】
【特許文献】
【０００４】
【特許文献１】特開２００５−３３９０４７号公報
【発明の概要】
【発明が解決しようとする課題】
【０００５】
紙葉類処理装置は、紙葉類の券種、正損、及び真偽などを検知する検知部を複数備える。さらに、紙葉類処理装置は、各検知部の検知結果を統合的に処理する検知情報処理部を備える。検知情報処理部は、各検知部から通信回線を介して検知結果を取得する。検知情報処理部は、紙葉類が搬送路中の特定の位置（最終判定位置）に到達する前に紙葉類の区分先を判定する。
【０００６】
例えば、検知情報処理部は、検知結果の伝送中にエラー（通信エラー）が発生した場合、検知結果の再送を検知部に要求する。しかし、再送が完了する前に紙葉類が最終判定位置に到達した場合、検知情報処理部は、紙葉類の区分先を確定させることができない。この為、従来の紙葉類処理装置は、紙葉類を適切に区分することができない可能性があるという課題がある。
【０００７】
本発明の一実施形態は、より確実に紙葉類を区分することができる紙葉類処理装置、及び紙葉類処理方法を提供することを目的とする。
【課題を解決するための手段】
【０００８】
一実施形態に係る紙葉類処理装置は、紙葉類を搬送する搬送路と、前記紙葉類を集積する複数の集積部と、前記複数の集積部に前記紙葉類を区分する為の検知データを取得する検査部と、前記検査部から伝送された前記検知データを受信し、前記紙葉類が前記搬送路上の最終判定位置に到達するまでの間に前記検知データに基づいて前記紙葉類を搬送する前記集積部を判定する判定部と、前記判定部により判定された搬送先に前記紙葉類を区分する区分処理部と、前記検知データの伝送中に通信エラーが発生したか否か判定し、通信エラーが発生していた場合に前記検知データの再送が可能であるか否かを判定し、再送が可能である場合に前記検知データを再度伝送するように前記検査部を制御する制御部と、を具備する。
【図面の簡単な説明】
【０００９】
【図１】図１は、一実施形態に係る紙葉類処理装置について説明する為の図である。
【図２】図２は、一実施形態に係る紙葉類処理装置について説明する為の図である。
【図３】図３は、一実施形態に係る紙葉類処理装置について説明する為の図である。
【図４】図４は、一実施形態に係る紙葉類処理装置について説明する為の図である。
【発明を実施するための形態】
【００１０】
以下、図面を参照しながら紙葉類処理装置、及び紙葉類処理方法の実施形態について、詳細に説明する。  
図１は、一実施形態に係る紙葉類処理装置１００の構成の例を示す。  
紙葉類検査システムは、少なくとも１台以上の紙葉類処理装置、再検査装置、及びサーバなどを備える。紙葉類処理装置１００、再検査装置、及びサーバは、ネットワークを介して互いにデータを送受信可能な状態で接続されている。
【００１１】
オペレータは、重ねられた状態の紙葉類Ｐを紙葉類処理装置１００の投入部に供給する。  紙葉類処理装置１００は、投入された複数枚の紙葉類を一枚ずつ高速で取り込み、取り込んだ紙葉類の券種、正損、及び真偽などを検査する。さらに、紙葉類処理装置１００は、紙葉類を計数する。またさらに、紙葉類処理装置１００は、再使用可能な紙葉類を結束して排出する。
【００１２】
紙葉類処理装置１００は、紙葉類の計数結果を検査結果としてサーバに送信する。
【００１３】
なお、紙葉類処理装置１００は、再検査が必要であると判断された紙葉類Ｐを排除券として排出する。
【００１４】
サーバは、紙葉類処理装置１００から送信された検査結果にインデックスを付し、サーバ内の記憶媒体に格納する。
【００１５】
また、紙葉類処理装置１００、及び再検査装置を操作するオペレータは、紙葉類処理装置１００から排出された排除券を再検査装置に投入する。再検査装置は、投入された排除券を再検査する。再検査装置は、紙葉類の計数結果を再検査結果としてサーバに送信する。
【００１６】
サーバは、再検査装置から送信された再検査結果を紙葉類処理装置１００から送信された検査結果に組み合わせ、組み合わされた検査結果をサーバ内の記憶媒体に格納する。
【００１７】
図１に示されるように、紙葉類処理装置１００は、装置外部に、投入部１１２、及び操作表示部１３７を備えている。また、紙葉類処理装置１００は、装置内部に、取出部１１３、吸着ローラ１１４、搬送路１１５、検査部１１６、集積部１２８乃至１３１、裁断部１３３、及び排除集積部１３４を備える。また、紙葉類処理装置１００は、主制御部１５１を備える。主制御部１５１は、紙葉類処理装置１００の各部の動作を統合的に制御する。さらに、主制御部１５１は、検査部１１６の各ユニットにより検知された検知結果に基づいて紙葉類Ｐの搬送先（集積部）を判定する検知情報処理部１５２を備える。
【００１８】
投入部１１２は、例えば紙幣などの紙葉類Ｐを投入するための構成である。投入部１１２は、重ねられた状態の紙葉類Ｐをまとめて受け入れる。
【００１９】
操作表示部１３７は、オペレータに対して各種の操作案内、及び処理結果などを表示する。また、操作表示部１３７は、オペレータによる各種操作入力を受け付ける。なお、操作表示部１３７は、タッチパネルとして構成されていてもよい。この場合、紙葉類処理装置１００は、操作表示部１３７に表示されるボタンと、操作表示部１３７に対するオペレータによる操作と、に基づいて、各種の操作入力を検知する。
【００２０】
取出部１１３は、投入部の上部に設けられる。取出部１１３は、吸着ローラ１１４を備えている。吸着ローラ１１４は、投入部１１２にセットされた紙葉類Ｐを集積方向の端部に接するように設けられている。即ち、吸着ローラ１１４は、回転することにより、投入部１１２にセットされた紙葉類Ｐを集積方向の端部から１枚ずつ装置内部に取り込む。吸着ローラ１１４は、たとえば、１回転するごとに１枚の紙葉類Ｐを取出すように機能する。これにより、吸着ローラ１１４は、紙葉類Ｐを一定のピッチで取出す。吸着ローラ１１４により取り込まれた紙葉類Ｐは、搬送路１１５に導入される。また、吸着ローラ１１４は、例えば真空ポンプによる吸引力を使って紙葉類の表面に吸着して取り出す吸着ロータを備える構成であってもよい。
【００２１】
搬送路１１５は、紙葉類Ｐを紙葉類処理装置１００内の各部に搬送する。搬送路１１５は、図示しない搬送ベルト及び駆動プーリなどを備えている。搬送路１１５は、図示しない駆動モータ及び駆動プーリにより搬送ベルトを動作させる。搬送路１１５は、吸着ローラ１１４により取り込まれた紙葉類Ｐを搬送ベルトにより一定速度で搬送する。なお、搬送路１１５における取出部１１３に近い側を上流側、排除集積部１３４に近い側を下流側として説明する。
【００２２】
取出部１１３から延びた搬送路１１５上には、検査部１１６が設けられている。検査部１１６は、図２に示されるように、券種検知部１１６ａ、真偽検知部１１６ｂ、及び正損検知部１１６ｃを備えている。検査部１１６は、紙葉類Ｐの光学的特徴情報、機械的特徴、及び磁気的特長情報などの特徴量を検出することができる。検査部１１６の各検知部は、検出された特徴量に基づいて、紙葉類Ｐの券種、正損、及び真偽などを検知することができる。
【００２３】
券種検知部１１６ａ、真偽検知部１１６ｂ、及び正損検知部１１６ｃは、それぞれ紙葉類Ｐから上記したような特徴量を取得する特徴量取得部を備える。
【００２４】
例えば、検査部１１６は、紙葉類Ｐの表面の画像を読み取る画像読取装置を特徴量取得部として備える。画像読取装置は、搬送路１１５により搬送される紙葉類Ｐの画像を読み取る。画像読取装置は、Ｃｈａｒｇｅ  Ｃｏｕｐｌｅｄ  Ｄｅｖｉｃｅ（ＣＣＤ）などの受光素子と、受光素子に光を結像させる光学系とを有するカメラを備える。また、カメラは、ＣＭＯＳ、または他の受光素子と、受光素子に光を結像させる光学系とを備える構成であってもよい。検査部１１６は、画像読取装置により紙葉類Ｐの光学的特徴を取得することができる。
【００２５】
また、例えば、検査部１１６は、紙葉類Ｐの厚さ及び強度などを検出する厚さ及びたわみ検出装置を特徴量取得部として備える。検査部１１６は、厚さ及びたわみ検出装置により、紙葉類Ｐの機械的特徴を取得することができる。
【００２６】
また、例えば、検査部１１６は、紙葉類Ｐの磁気を検出する磁気検出装置を特徴量取得部として備える。検査部１１６は、磁気検出装置などにより紙葉類Ｐの磁気的特徴を取得することができる。
【００２７】
なお、特徴量取得部は、検査部１１６内の各部で共用されてもよいし、券種検知部１１６ａ、真偽検知部１１６ｂ、及び正損検知部１１６ｃがそれぞれ特徴量取得部を備える構成であってもよい。
【００２８】
券種検知部１１６ａ、真偽検知部１１６ｂ、及び正損検知部１１６ｃは、それぞれ特徴量取得部により取得した特徴量に基づいて、種々の検知結果（検知データ）を取得する。
【００２９】
券種検知部１１６ａは、紙葉類Ｐから取得した特徴量に基づいて、紙葉類Ｐの券種（ｃａｔｅｇｏｒｙ）を検知する。
【００３０】
また、真偽検知部１１６ｂは、紙葉類Ｐから取得した特徴量に基づいて、紙葉類Ｐの真偽（ａｕｔｈｅｎｔｉｃａｔｉｏｎ）を検知する。すなわち、真偽検知部１１６ｂは、紙葉類Ｐが真券(ｇｅｎｕｉｎｅ)であるか、偽券(ｃｏｕｎｔｅｒｆｅｉｔ)であるかを判定する。
【００３１】
また、正損検知部１１６ｃは、紙葉類Ｐから取得した特徴量に基づいて、紙葉類Ｐの正損（ｆｉｔｎｅｓｓ）を検知する。即ち、正損検知部１１６ｃは、紙葉類Ｐが再流通が可能な正券（ｆｉｔ  ｓｈｅｅｔ  ｆｏｒ  ｒｅｃｉｒｃｕｌａｔｉｏｎ）であるか、再流通が不可能な損券（ｕｎｆｉｔ  ｓｈｅｅｔ  ｆｏｒ  ｒｅｃｉｒｃｕｌａｔｉｏｎ）であるかを判定する。
【００３２】
券種検知部１１６ａ、真偽検知部１１６ｂ、及び正損検知部１１６ｃは、検知結果を検知情報処理部１５２に供給する。検知情報処理部１５２は、券種検知部１１６ａ、真偽検知部１１６ｂ、及び正損検知部１１６ｃから供給された検知結果を統合する。これにより、検知情報処理部１５２は、紙葉類Ｐ毎に券種、真偽、及び正損の検知結果を認識することができる。検知情報処理部１５２は、認識した紙葉類Ｐ毎の券種、真偽、及び正損に基づいて、紙葉類Ｐの搬送先（集積部）を判定する。
【００３３】
なお、集積部は、例えば、集積部１２８乃至１３１、裁断部１３３、及び排除集積部１３４などである。即ち、検知情報処理部１５２は、集積部１２８、集積部１２９、集積部１３０、集積部１３１、裁断部１３３、及び排除集積部１３４の中から１つを紙葉類Ｐの搬送先として特定する。
【００３４】
なお、券種検知部１１６ａ、真偽検知部１１６ｂ、及び正損検知部１１６ｃと、検知情報処理部１５２とは、例えばバスなどの伝送路により接続されている。券種検知部１１６ａ、真偽検知部１１６ｂ、及び正損検知部１１６ｃは、伝送路を介して検知結果を検知情報処理部１５２に伝送する。
【００３５】
例えば、検知情報処理部１５２は、正券であると検知された紙葉類Ｐを集積部１２８乃至１３１に搬送するように搬送先を判定する。なお、集積部１２８乃至１３１は、紙葉類Ｐの券種毎に設けられている。すなわち、一つの集積部が紙葉類Ｐのある券種に対応するように設けられている。検知情報処理部１５２は、紙葉類Ｐの券種に応じて集積部１２８乃至１３１の中から紙葉類Ｐの搬送先を特定する。
【００３６】
また、検知情報処理部１５２は、券であると検知された紙葉類Ｐを裁断部１３３に搬送するように搬送先を判定する。裁断部１３３は、裁断された紙葉類Ｐを集積する集積部である。裁断部１３３は、裁断機１３３ａとスタッカ１３３ｂとを備える。裁断部１３３の裁断機１３３ａは、搬送される損券を裁断する。裁断部１３３は、裁断された紙葉類Ｐの紙片をスタッカ１３３ｂに蓄積する。このスタッカ１３３ｂは、外部から紙片を取り除くことができる取り出し口を備えている。即ち、オペレータは、取り出し口から裁断されたスタッカ１３３ｂに蓄積された紙葉類Ｐの紙片を取り出すことができる。
【００３７】
また、検知情報処理部１５２は、紙葉類Ｐを排除すべきか否かを判別する。検知情報処理部１５２は、偽券であると検知された紙葉類Ｐ、重なりが検知された紙葉類Ｐ、または判別が不可能であった紙葉類Ｐを排除券であると判定する。
【００３８】
また、検知情報処理部１５２は、搬送経路中で前の紙葉類Ｐと後ろの紙葉類Ｐとの間隔が短い為に各検出器による検出が正しく行われないショートピッチが発生した紙葉類Ｐを排除券と判定する。
【００３９】
検知情報処理部１５２は、排除券であると判定した紙葉類Ｐを排除集積部１３４に搬送するように搬送先を判定する。裁断部１３３は、排除券であると判定された紙葉類Ｐを集積する集積部である。なお、排除集積部１３４は、集積された紙葉類Ｐをオペレータが取り出すことができるように構成されている。
【００４０】
紙葉類処理装置１００は、検知情報処理部１５２により判定された搬送先に紙葉類Ｐが搬送されるように、搬送路１１５、及び複数のゲートなどの動作を制御する。検査部１１６の下流側の搬送路１１５上には、図示しない複数のゲートが設けられている。ゲートは、それぞれ、主制御部１５１により制御される。主制御部１５１は、検知情報処理部１５２による判定結果に基づいて各ゲートの動作を制御する。これにより、主制御部１５１は、搬送路１１５を搬送されている紙葉類Ｐを所定の処理部に搬送するように制御する。また、紙葉類処理装置１００は、検知情報処理部１５２により判定された搬送先に紙葉類Ｐを集積することができる。
【００４１】
なお、オペレータは、操作表示部１３７などを操作することにより、紙葉類処理装置１００に処理させる紙葉類Ｐの種類（券種）を任意で設定させることができる。
【００４２】
なお、主制御部１５１は、集積部１３２または裁断部１３３に搬送された紙葉類Ｐの紙葉類の計数結果などを紙葉類の束毎に対応付けて、検査結果として記憶する。主制御部１５１は、検査結果をサーバに送信する。
【００４３】
検査部１１６は、図２に示される判定開始位置に紙葉類Ｐが到達した場合、処理を開始する。なお、検査部１１６は、判定開始位置に紙葉類Ｐが到達したことを検知する図示されないセンサを備える。検査部１１６は、このセンサの検知結果に基づいて紙葉類Ｐが判定開始位置に到達したか否か判断する。
【００４４】
検査部１１６は、紙葉類Ｐが判定開始位置に到達したことを検知した場合、券種検知部１１６ａ、真偽検知部１１６ｂ、及び正損検知部１１６ｃを待機状態にさせる。券種検知部１１６ａ、真偽検知部１１６ｂ、及び正損検知部１１６ｃは、それぞれの検出位置に紙葉類Ｐが到達した時に紙葉類Ｐから特徴量を取得する。
【００４５】
例えば、券種検知部１１６ａは、紙葉類Ｐが第１の検出位置に到達した場合、紙葉類Ｐから特徴量を取得することができる。券種検知部１１６ａは、紙葉類Ｐから取得した特徴量に基づいて紙葉類Ｐの券種を検知する。券種検知部１１６ａは、検知結果（券種検知データ）を上記の伝送路を介して検知情報処理部１５２に伝送する。
【００４６】
また、例えば、真偽検知部１１６ｂは、紙葉類Ｐが第２の検出位置に到達した場合、紙葉類Ｐから特徴量を取得することができる。真偽検知部１１６ｂは、紙葉類Ｐから取得した特徴量に基づいて紙葉類Ｐの真偽を検知する。真偽検知部１１６ｂは、検知結果（真偽検知データ）を上記の伝送路を介して検知情報処理部１５２に伝送する。
【００４７】
また、例えば、正損検知部１１６ｃは、紙葉類Ｐが第３の検出位置に到達した場合、紙葉類Ｐから特徴量を取得することができる。正損検知部１１６ｃは、紙葉類Ｐから取得した特徴量に基づいて紙葉類Ｐの正損を検知する。正損検知部１１６ｃは、検知結果（正損検知データ）を上記の伝送路を介して検知情報処理部１５２に伝送する。
【００４８】
検知情報処理部１５２は、券種検知部１１６ａ、真偽検知部１１６ｂ、及び正損検知部１１６ｃから伝送された券種検知データ、真偽検知データ、及び正損検知データに基づいて、紙葉類Ｐの搬送先を判定する。なお、検知情報処理部１５２は、紙葉類Ｐが図２に示されている最終判定位置に到達するまでの間に紙葉類Ｐの搬送先を判定する。
【００４９】
なお、検知結果の伝送中にエラー（通信エラー）が発生する場合がある。このため、検査部１１６の各部は、例えばチェックサム、ＣＲＣ、ハッシュ値などの誤り検出符号を伝送するデータに付加する。すなわち、券種検知部１１６ａは、券種検知データに誤り検出符号を付加して検知情報処理部１５２に伝送する。また、真偽検知部１１６ｂは、真偽検知データに誤り検出符号を付加して検知情報処理部１５２に伝送する。また、正損検知部１１６ｃは、正損検知データに誤り検出符号を付加して検知情報処理部１５２に伝送する。
【００５０】
検知情報処理部１５２は、検知結果を受信した場合、誤り検出符号を用いて検知結果の伝送中に通信エラーが発生したか否か判断する。すなわち、検知情報処理部１５２は、券種検知データ、真偽検知データ、及び正損検知データの伝送中に通信エラーが発生したか否かをそれぞれ判断することができる。
【００５１】
またさらに、検知情報処理部１５２は、検知結果の伝送中に通信エラーが発生していると判断した場合、通信エラーが発生した検知結果を再送するように検査部１１６の各部に要求することができる。
【００５２】
またさらに、検知情報処理部１５２は、紙葉類Ｐが判定開始位置に到達してからの経過時間と、紙葉類Ｐの搬送速度とに基づいて、紙葉類Ｐが搬送路上のどの位置に存在するかを逐次認識することができる。さらに、検知情報処理部１５２は、紙葉類Ｐが最終判定位置に到達するまでの時間を逐次認識することができる。
【００５３】
なお、検査部１１６の各部は、検知結果のデータをパケット化して検知情報処理部１５２に伝送する。すなわち、検査部１１６の各部は、検知結果を複数のパケットに分割された状態のデータを検知情報処理部１５２に伝送する。検知情報処理部１５２は、誤り検出符号に基づいて通信エラーが発生したパケットを特定することができる。さらに、検知情報処理部１５２は、通信エラーが発生したと特定したパケットを再送するように検査部１１６の各部に要求することができる。
【００５４】
また、検査部１１６の各部は、例えば、上流側から券種検知部１１６ａ、真偽検知部１１６ｂ、正損検知部１１６ｃの順に配置されている。しかし、券種検知データ、真偽検知データ。及び正損検知データはそれぞれデータの容量が異なる。この為、検知情報処理部１５２がどのような順番で検知データを受信するかは不定である。なお、図２の検査部１１６の各部の配置は一例であり、いかなる順番で配置されていてもよい。
【００５５】
図３は、紙葉類処理装置１００の動作の例を示す。  
まず、主制御部１５１の検知情報処理部１５２は、紙葉類Ｐが判定開始位置に到達したことを検知した場合、検査を開始するように検査部１１６を制御する。この場合、検知情報処理部１５２は、検知データを検査部１１６に要求する（ステップＳ１１）。
【００５６】
まず、検査部１１６の券種検知部１１６ａは、紙葉類Ｐの券種を検知する。券種検知部１１６ａは、券種検知データを検知情報処理部１５２に伝送する。検知情報処理部１５２は、券種検知データを受信する（ステップＳ１２）。
【００５７】
検知情報処理部１５２は、券種検知データの伝送中に通信エラーが発生したか否か判断する（ステップＳ１３）。すなわち、検知情報処理部１５２は、受信した券種検知データの誤り検出符号を用いて受信した券種検知データに通信エラーが含まれているか否か検出する。
【００５８】
さらに、検知情報処理部１５２は、データ到着時間を算出する（ステップＳ１４）。データ到着時間は、紙葉類Ｐが判定開始位置に到達してから検知データの伝送が完了するまでの時間を示す。すなわち、この場合のデータ到着時間は、紙葉類Ｐが判定開始位置に到達してから券種検知データの伝送が完了するまでの時間を示す。
【００５９】
検査部１１６の真偽検知部１１６ｂは、紙葉類Ｐの真偽を検知する。真偽検知部１１６ｂは、真偽検知データを検知情報処理部１５２に伝送する。検知情報処理部１５２は、真偽検知データを受信する（ステップＳ１５）。
【００６０】
検知情報処理部１５２は、真偽検知データの伝送中に通信エラーが発生したか否か判断する（ステップＳ１６）。すなわち、検知情報処理部１５２は、受信した真偽検知データの誤り検出符号を用いて受信した真偽検知データに通信エラーが含まれているか否か検出する。
【００６１】
さらに、検知情報処理部１５２は、データ到着時間を算出する（ステップＳ１７）。この場合のデータ到着時間は、紙葉類Ｐが判定開始位置に到達してから真偽検知データの伝送が完了するまでの時間を示す。
【００６２】
検査部１１６の正損検知部１１６ｃは、紙葉類Ｐの真偽を検知する。正損検知部１１６ｃは、正損検知データを検知情報処理部１５２に伝送する。検知情報処理部１５２は、正損検知データを受信する（ステップＳ１８）。
【００６３】
検知情報処理部１５２は、正損検知データの伝送中に通信エラーが発生したか否か判断する（ステップＳ１９）。すなわち、検知情報処理部１５２は、受信した正損検知データの誤り検出符号を用いて受信した正損検知データに通信エラーが含まれているか否か検出する。
【００６４】
さらに、検知情報処理部１５２は、データ到着時間を算出する（ステップＳ２０）。この場合のデータ到着時間は、紙葉類Ｐが判定開始位置に到達してから正損検知データの伝送が完了するまでの時間を示す。
【００６５】
検知情報処理部１５２は、受信した券種検知データ、真偽検知データ、及び正損検知データをそれぞれ認識する。これにより、検知情報処理部１５２は、紙葉類Ｐの券種、真偽及び正損をそれぞれ認識することができる。
【００６６】
なお、検知情報処理部１５２は、すべての検知データの受信が完了するのを待つ。検知情報処理部１５２は、すべての検知データの受信が完了したことを認識した場合、各検知データの受信が完了した時間をそれぞれ認識する。これにより、検知情報処理部１５２は、各検知データを受信した順番を認識する。
【００６７】
検知情報処理部１５２は、最初に受信した検知データに通信エラーがあるか否か判定する（ステップＳ２１）。さらに、検知情報処理部１５２は、最初に受信した検知データに通信エラーがあると判定した場合、検知データの再送が可能であるか否か判定する（ステップＳ２２）。検知データの再送が可能であると判定した場合、検知情報処理部１５２は、最初に受信した検知データの再送を検査部１１６に要求する（ステップＳ２３）。
【００６８】
次に、検知情報処理部１５２は、二番目に受信した検知データに通信エラーがあるか否か判定する（ステップＳ２４）。さらに、検知情報処理部１５２は、二番目に受信した検知データに通信エラーがあると判定した場合、検知データの再送が可能であるか否か判定する（ステップＳ２５）。検知データの再送が可能であると判定した場合、検知情報処理部１５２は、二番目に受信した検知データの再送を検査部１１６に要求する（ステップＳ２６）。
【００６９】
次に、検知情報処理部１５２は、三番目に受信した検知データに通信エラーがあるか否か判定する（ステップＳ２７）。さらに、検知情報処理部１５２は、三番目に受信した検知データに通信エラーがあると判定した場合、検知データの再送が可能であるか否か判定する（ステップＳ２８）。検知データの再送が可能であると判定した場合、検知情報処理部１５２は、三番目に受信した検知データの再送を検査部１１６に要求する（ステップＳ２９）。
【００７０】
検知情報処理部１５２は、検知データの伝送が完了したか否か判定する（ステップＳ３０）。即ち、検知情報処理部１５２は、伝送途中である検知データがあるか否か判定する。例えば、検知情報処理部１５２は、初回の検知データの伝送、または再送を要求した検知データの伝送が完了したか否かを判定する。検知データの伝送が完了していないと判定した場合、検知情報処理部１５２は、ステップＳ１１の後段の処理に移行し、検知データの伝送を継続する。
【００７１】
また、検知データの伝送が完了したと判定した場合、検知情報処理部１５２は、受信した各検知データを用いて、紙葉類Ｐの搬送先を判定する（ステップＳ３１）。即ち、検知情報処理部１５２は、券種検知データ、真偽検知データ、及び正損検知データなどに基づいて、紙葉類Ｐの搬送先を判定する。紙葉類処理装置１００は、検知情報処理部１５２により判定された搬送先に紙葉類Ｐを搬送する。これにより、紙葉類処理装置１００は、各種の検知結果に基づいて、紙葉類Ｐを区分することができる。
【００７２】
図４は、図３のステップＳ２２、ステップＳ２５、及びステップＳ２８などの処理の例を示す。
【００７３】
検知情報処理部１５２は、通信エラーを含む検知データの容量、即ち、再送が必要なデータ（再送データ）の容量を算出する（ステップＳ４１）。例えば、検知情報処理部１５２は、検知データのうち通信エラーが発生したパケットの再送を要求する。この為に、検知情報処理部１５２は、通信エラーを含むパケットの容量を算出する。
【００７４】
さらに、検知情報処理部１５２は、算出した容量に基づいて、再送に必要な時間（再送時間）を算出する（ステップＳ４２）。即ち、検知情報処理部１５２は、再送データの再送に必要な時間を算出する。
【００７５】
また、検知情報処理部１５２は、紙葉類Ｐの搬送位置を逐次算出する（ステップＳ４３）。例えば、検知情報処理部１５２は、紙葉類Ｐが判定開始位置に到達してからの経過時間と、紙葉類Ｐの搬送速度とに基づいて、紙葉類Ｐの搬送路上での位置を特定することができる。
【００７６】
またさらに、検知情報処理部１５２は、紙葉類Ｐが最終判定位置に到達するまでの時間（到達時間）を算出する（ステップＳ４４）。例えば、検知情報処理部１５２は、紙葉類Ｐが判定開始位置に到達してからの経過時間と、紙葉類Ｐの搬送速度と、判定開始位置と最終判定位置との距離とに基づいて、紙葉類Ｐが最終判定位置に到達するまでの時間を算出することができる。
【００７７】
検知情報処理部１５２は、再送時間と到達時間との差を算出する（ステップＳ４５）。例えば、検知情報処理部１５２は、到達時間に対する再送時間の差分を算出する。再送時間が到達時間未満である場合、紙葉類Ｐが最終判定位置に到達する前に再送データの再送が完了しない。即ち、検知情報処理部１５２は、再送時間と到達時間との差を算出することにより、紙葉類Ｐが最終判定位置に到達する前に再送データの再送が完了するか否かを判定することができる。
【００７８】
まず、検知情報処理部１５２は、到達時間に対する再送時間の差分が「０」以上であるか否か判定する（ステップＳ４６）。これにより、検知情報処理部１５２は、紙葉類Ｐが最終判定位置に到達する前に再送データの再送が完了するか否かを判定する。検知情報処理部１５２は、差分が「０」以上である場合、再送が可能であると判定する。
【００７９】
差分が「０」未満である場合、即ち、到達時間が再送時間未満である場合、検知情報処理部１５２は、再送データの再送が不可能であることを認識する（ステップＳ４７）。この場合、検知情報処理部１５２は、図３のステップＳ２２、Ｓ２５、及びＳ２８でＮＯと判定する。この場合、検知情報処理部１５２は、検知データの再送を要求せずに、後段の処理に移行する。
【００８０】
例えば、検知情報処理部１５２は、図３のステップＳ２２、Ｓ２５、及びＳ２８でＮＯと判定した場合、ステップＳ３０の処理に移行する構成であってもよい。これにより、検知情報処理部１５２は、不要な判断処理などを省略することができる。検知情報処理部１５２は、図３のステップＳ２２、Ｓ２５、及びＳ２８でＮＯと判定した場合、既に受信が完了している検知データを用いて紙葉類Ｐの搬送先を判定する。例えば、券種検知データ及び真偽検知データを受信しており、正損検知データの伝送中に通信エラーが発生しており、且つ再送が不可能であるとする。この場合、検知情報処理部１５２は、券種検知データ及び真偽検知データを用いて紙葉類Ｐの搬送先を判定する。即ち、検知情報処理部１５２は、再送データの再送が不可能である場合、受信が完了した検知データを用いて紙葉類Ｐの搬送先を判定する。
【００８１】
また、ステップＳ４６で差分が「０」以上であると判定した場合、即ち、到達時間が再送時間以上である場合、検知情報処理部１５２は、再送データの再送が可能であることを認識する。さらに、検知情報処理部１５２は、到達時間に対する再送時間の差分が「差分＞０」であるか否か判定する（ステップＳ４８）。これにより、検知情報処理部１５２は、再送データの再送が可能であり、且つ、紙葉類Ｐが最終判定位置に到達するまでに猶予があるか否かを認識する。
【００８２】
ステップＳ４８で「差分＞０」であると判定した場合、検知情報処理部１５２は、再送データの再送が可能であり、且つ、紙葉類Ｐが最終判定位置に到達するまでに猶予があると認識する（ステップＳ４９）。さらに、ステップＳ４８で「差分＞０」ではないと判定した場合、検知情報処理部１５２は、再送データの再送が可能であり、且つ、紙葉類Ｐが最終判定位置に到達するまでに猶予がないと認識する（ステップＳ５０）。
【００８３】
上記の処理により、検知情報処理部１５２は、再送データの再送が可能であるか否かを認識することができる。さらに、検知情報処理部１５２は、再送データの再送が可能である場合にさらに紙葉類Ｐが最終判定位置に到達するまでに猶予があるか否か認識することができる。これにより、検知情報処理部１５２は、他の検知データに通信エラーが含まれている場合に、再送に要する時間があるか否かを認識することができる。
【００８４】
上記したように、検知情報処理部１５２は、再送に要する時間が無いと判断した場合、図３のステップＳ３０に移行する。さらに、検知情報処理部１５２は、ステップＳ３０で伝送が完了したと判定する。この結果、検知情報処理部１５２は、再送データを再送する時間的な余裕が無い場合に不要な判定を行う必要が無くなる。
【００８５】
上記したように、検知情報処理部１５２は、紙葉類Ｐの搬送位置と、紙葉類Ｐの搬送速度と、再送データの容量とに基づいて、再送データが再送可能であるか否かを判定する。検知情報処理部１５２は、再送が可能である場合に再送データを取得し、紙葉類Ｐの搬送先の判定に用いる。この結果、より確実に紙葉類を区分することができる紙葉類処理装置、及び紙葉類処理方法を提供することができる。
【００８６】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００８７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００８８】
１００…紙葉類処理装置、１１２…投入部、１１３…取出部、１１４…吸着ローラ、１１５…搬送路、１１６…検査部、１１６ａ…券種検知部、１１６ｂ…真偽検知部、１１６ｃ…正損検知部、１１６ｄ…情報処理部、１２８…集積部、１２９…集積部、１３０…集積部、１３１…集積部、１３２…集積部、１３３…裁断部、１３３ａ…裁断機、１３３ｂ…スタッカ、１３４…排除集積部、１３７…操作表示部、１５１…主制御部。
【図１】
2015032245.tif 000003
【図２】
2015032245.tif 000004
【図３】
2015032245.tif 000005
【図４】
2015032245.tif 000006